(57)【特許請求の範囲】
【請求項１】
眼鏡フレームを装用する被検者の眼鏡装用パラメータについて測定を行う際に用いられる眼鏡装用パラメータ測定装置であって、
前記被検者の眼鏡フレーム装用状態における顔画像である第１の画像と眼鏡フレーム非装用状態における顔画像である第２の画像とをそれぞれ取得し、前記第１の画像と前記第２の画像とを関連付けた第３の画像を準備する情報処理部と、
前記情報処理部が準備した前記第３の画像を表示する表示画面部と、
前記表示画面部が表示する前記第３の画像上で前記眼鏡装用パラメータの測定基準点の指定を行う操作部と、
指定された前記測定基準点のデータを用いて眼鏡装用パラメータを算出する演算部と、
を備え、
前記第３の画像は、前記測定基準点の指定にあたり、前記眼鏡フレームに関して指定する前記第１の画像上での測定位置と前記被検者の眼球に関して指定する前記第２の画像上での測定位置とをそれぞれ視認可能にするとともに、前記第１の画像と前記第２の画像との関連性を認識し得るように生成されている
ことを特徴とする眼鏡装用パラメータ測定装置。
【請求項２】
前記第３の画像は、前記眼鏡フレーム装用状態における第１の画像と前記眼鏡フレーム非装用状態における第２の画像とを合成した少なくとも測定位置を含む合成画像であり、当該合成画像中から前記被検者の眼球に関する測定位置を隠す眼鏡画像部分を削除したものである
ことを特徴とする請求項１記載の眼鏡装用パラメータ測定装置。
【請求項３】
前記合成画像は、前記第１の画像について一部領域を抽出し当該一部領域を除く他の領域を削除したものと、前記第２の画像について前記一部領域に対応する該当領域を削除したものとの合成画像である
ことを特徴とする請求項２記載の眼鏡装用パラメータ測定装置。
【請求項４】
前記一部領域は、前記被検者の顔を側面から撮像して得られた第１の画像上で前記被検者が装用する眼鏡フレームのリム部分を含む領域であり、
前記該当領域は、前記被検者の顔を側面から撮像して得られた第２の画像上で前記被検者の眼球角膜部分を含まない領域である
ことを特徴とする請求項３記載の眼鏡装用パラメータ測定装置。
【請求項５】
表示画面部および操作部を備え、眼鏡フレームを装用する被検者の眼鏡装用パラメータについて測定を行う際に用いられるコンピュータを、
前記被検者の眼鏡フレーム装用状態における顔画像である第１の画像と眼鏡フレーム非装用状態における顔画像である第２の画像とのそれぞれを関連付けた第３の画像を準備する画像処理手段と、
前記画像処理手段が準備した前記第３の画像を前記表示画面部に表示させる表示制御手段と、
前記表示画面部が表示する前記第３の画像上で前記眼鏡装用パラメータの測定基準点の指定を前記操作部で行わせる操作制御手段と、
指定された前記測定基準点のデータを用いて前記眼鏡装用パラメータを算出する計測演算手段、
として機能させ、
前記第３の画像は、前記測定基準点の指定にあたり、前記眼鏡フレームに関して指定する前記第１の画像上での測定位置と前記被検者の眼球に関して指定する前記第２の画像上での測定位置とをそれぞれ視認可能にするとともに、前記第１の画像と前記第２の画像との関連性を認識し得るように生成されている
ことを特徴とする眼鏡装用パラメータ測定プログラム。
【請求項６】
眼鏡フレームを装用した状態の被検者の顔画像を用いて前記被検者に関する眼鏡装用パラメータを測定する際に、前記測定に必要となる前記顔画像上の測定基準点を指定するための位置指定方法であって、
前記被検者の眼鏡フレーム装用状態における顔画像である第１の画像と眼鏡フレーム非装用状態における顔画像である第２の画像とをそれぞれ取得しておき、
前記測定基準点の指定にあたり、前記眼鏡フレーム装用状態における第１の画像と前記眼鏡フレーム非装用状態における第２の画像とを関連付けた第３の画像を準備して表示し、
前記第３の画像上で前記眼鏡装用パラメータの測定基準点の指定を行い、
前記第３の画像は、前記測定基準点の指定にあたり、前記眼鏡フレームに関して指定する前記第１の画像上での測定位置と前記被検者の眼球に関して指定する前記第２の画像上での測定位置とをそれぞれ視認可能にするとともに、前記第１の画像と前記第２の画像との関連性を認識し得るように生成されている
ことを特徴とする位置指定方法。
【発明の詳細な説明】
【技術分野】
【０００１】
本発明は、眼鏡装用パラメータについて測定を行う際に用いられる眼鏡装用パラメータ測定装置、眼鏡装用パラメータ測定プログラムおよび位置指定方法に関する。
【背景技術】
【０００２】
一般に、眼鏡レンズの作製には、眼鏡装用者が眼鏡フレームを装用した状態で測定される眼鏡装用パラメータが必要となる。眼鏡装用パラメータとしては、角膜頂点間距離、フレーム前傾角、フィッティングポイント位置、瞳孔間距離、フレーム反り角等が知られている。【０００３】
眼鏡装用パラメータの測定は、専用の測定装置を用いて行われる。専用の測定装置としては、例えば、眼鏡フレームを装用した状態の被検者の顔を撮像し、その撮像結果である顔画像を基に、各種眼鏡装用パラメータを演算して求めるように構成されたものがある（例えば、特許文献１参照）。具体的には、特許文献１に開示された測定装置では、被検者の顔の撮像結果を画面上に表示し、その画面上でカーソルマーク等を利用しつつ測定の基準となる点（例えば、被検者の角膜頂点や眼鏡フレーム前枠等）を指定させた上で、その測定基準点の画面上における位置に基づいて角膜頂点間距離やフレーム前傾角等の眼鏡装用パラメータを演算して求めるようになっている（例えば、特許文献１の段落「００３３」〜「００３５」の記載参照）。【０００４】
ところで、眼鏡装用者の眼の位置と眼鏡レンズとの間の相対位置を変化させるべく、眼鏡フレームのテンプルに対して変形機構を設ける場合もある。その場合、眼鏡フレームにテンプル幅が広くなる（例えば、特許文献２の図１Ａ、図２〜３参照）。
【先行技術文献】
【特許文献】
【０００５】
【特許文献１】特許第３９７６９２５号公報
【特許文献２】特開２０１４−５１３３２８号公報
【発明の概要】
【発明が解決しようとする課題】
【０００６】
上述したように、眼鏡装用パラメータの測定は、画面上における測定基準点の位置に基づいて行われる。つまり、被検者の顔画像を表示する画面上での測定基準点の位置指定は、眼鏡装用パラメータの測定を行う上で不可欠な処理である。そのため、測定基準点の位置指定は、簡便に行い得ることが望ましい。また、測定基準点の位置は、眼鏡装用パラメータの測定結果に直接的に影響を及ぼすため、その指定が精度よく行われていることが求められる。例えば、角膜頂点間距離を測定する場合であれば、測定基準点の位置が被検者の角膜頂点等に正しく合わせられていることが必要となる。【０００７】
しかしながら、従来技術では、以下に述べる理由により、必ずしも測定基準点の位置指定を簡便かつ高精度に行えるとは限らない。
測定基準点の位置指定は、被検者の顔画像を表示する画面上で行う。例えば、眼鏡装用パラメータとして角膜頂点間距離を測定する場合であれば、被検者の顔側面を撮像して得られる顔画像上で、その被検者の角膜頂点の位置を測定基準点の一つとして指定することになる。
ところが、眼鏡装用パラメータの測定およびそのための測定基準点の位置指定に用いる画像は、眼鏡フレームを装用した状態の被検者の顔を撮像して得られるものである。そのため、被検者が装用している眼鏡フレームの形状によっては、被検者の顔について視認困難な箇所が生じてしまい、指定すべき測定基準点の位置が不明確になってしまう可能性がある。具体的には、例えばプラスチック系素材の眼鏡フレームはテンプル幅が大きいものも存在しており、顔画像上において眼鏡フレームのテンプルに被検者の角膜頂点が隠れてしまうといったことが起こり得る。そのような場合には、測定基準点の位置指定を簡便に行うことができず、また指定後の測定基準点の位置について必要十分な位置精度を確保できないおそれがある。
そして特許文献２に記載のように、テンプル幅の大きい眼鏡フレームを使用する場合、眼鏡フレームに隠れて角膜が見えなくなってしまう場合がある。そのような場合には、測定基準点の位置指定を簡便に行うことができず、また指定後の測定基準点の位置について必要十分な位置精度を確保できないおそれがある。そのため、角膜頂点を含む装用パラメータの距離の測定が困難となる場合がある。【０００８】
そこで、本発明は、眼鏡装用パラメータの測定にあたり、被検者の顔画像上で測定基準点の位置指定を行う場合に、その測定基準点の位置指定を行うことを可能にする眼鏡装用パラメータ測定装置、眼鏡装用パラメータ測定プログラムおよび位置指定方法を提供することを目的とする。
【課題を解決するための手段】
【０００９】
本発明は、上記目的を達成するために案出されたものである。
本発明の第１の態様は、眼鏡フレームを装用する被検者の眼鏡装用パラメータについて測定を行う際に用いられる眼鏡装用パラメータ測定装置であって、被検者の眼鏡フレーム装用状態における顔画像である第１の画像と眼鏡フレーム非装用状態における顔画像である第２の画像とをそれぞれ取得し、第１の画像と第２の画像とを関連付けた第３の画像を準備する情報処理部と、情報処理部が準備した画像を表示する表示画面部と、表示画面部が表示する画像上で眼鏡装用パラメータの測定基準点の指定を行う操作部と、指定された測定基準点のデータを用いて眼鏡装用パラメータを算出する演算部と、を備えることを特徴とする眼鏡装用パラメータ測定装置である。
本発明の第２の態様は、第１の態様に記載の眼鏡装用パラメータ測定装置において、第３の画像は、眼鏡フレーム装用状態における第１の画像と眼鏡フレーム非装用状態における第２の画像とを合成した少なくとも測定位置を含む合成画像であることを特徴とする。
本発明の第３の態様は、第２の態様に記載の眼鏡装用パラメータ測定装置において、合成画像は、眼鏡フレーム装用状態における第１の画像の一部領域と、眼鏡フレーム非装用状態における第２の画像の該当領域との合成画像であることを特徴とする。
本発明の第４の態様は、第３の態様に記載の眼鏡装用パラメータ測定装置において、一部領域は、被検者の顔を側面から撮像して得られた第１の画像上で被検者が装用する眼鏡フレームのリム部分を含む領域であり、該当領域は、被検者の顔を側面から撮像して得られた第２の画像上で被検者の眼球角膜部分を含まない領域であることを特徴とする。
本発明の第５の態様は、表示画面部および操作部を備え、眼鏡フレームを装用する被検者の眼鏡装用パラメータについて測定を行う際に用いられるコンピュータを、
被検者の眼鏡フレーム装用状態における顔画像である第１の画像と眼鏡フレーム非装用状態における顔画像である第２の画像とのそれぞれを関連付けた第３の画像を準備する画像処理手段と、
画像処理手段が準備した第３の画像を表示画面部に表示させる表示制御手段と、表示画面部が表示する第３の画像上で眼鏡装用パラメータの測定基準点の指定を操作部で行わせる操作制御手段と、指定された測定基準点のデータを用いて眼鏡装用パラメータを算出する計測演算手段と、として機能させることを特徴とする眼鏡装用パラメータ測定プログラムである。
本発明の第６の態様は、眼鏡フレームを装用した状態の被検者の顔画像を用いて被検者に関する眼鏡装用パラメータを測定する際に、測定に必要となる顔画像上の測定基準点を指定するための位置指定方法であって、被検者の眼鏡フレーム装用状態における顔画像である第１の画像と眼鏡フレーム非装用状態における顔画像である第２の画像とをそれぞれ取得しておき、測定基準点の指定にあたり、眼鏡フレーム装用状態における第１の画像と眼鏡フレーム非装用状態における第２の画像とを関連付けた第３の画像を準備して表示し、第３の画像上で眼鏡装用パラメータの測定基準点の指定を行うことを特徴とする位置指定方法である。
【発明の効果】
【００１０】
本発明によれば、眼鏡装用パラメータの測定にあたり、被検者の顔画像上で測定基準点の位置指定を行う場合に、その測定基準点の位置指定を行うことが可能となる。
【図面の簡単な説明】
【００１１】
【図１】眼鏡装用パラメータの具体例を示す説明図である。
【図２】本発明の一実施形態における眼鏡装用パラメータ測定装置の構成例を示す説明図である。
【図３】本発明の一実施形態における眼鏡装用パラメータ測定方法の手順の一例を示すフローチャートである。
【図４】本発明の一実施形態における眼鏡装用パラメータ測定装置の撮像ファインダーで表示する内容の具体例を示す説明図であり、被検者の眼鏡フレーム装用状態における第１の画像を撮像する場合に必要となる表示内容を示す図である。
【図５】本発明の一実施形態における眼鏡装用パラメータ測定装置の撮像ファインダーで表示する内容の具体例を示す説明図であり、被検者の顔を側面から撮像する際における表示内容を示す図である。
【図６】本発明の一実施形態における眼鏡装用パラメータ測定装置で眼鏡装用パラメータを求める際の表示画面部での表示内容の具体例を示す説明図であり、被検者が装用する眼鏡フレームのフレーム縦幅を測定する際の表示内容を示す図である。
【図７】本発明の一実施形態における眼鏡装用パラメータ測定装置が行う画像合成処理の具体例を示す説明図である。
【図８】本発明の一実施形態における眼鏡装用パラメータ測定装置で眼鏡装用パラメータを求める際の表示画面部での表示内容の具体例を示す説明図であり、フレーム角膜頂点間距離を求める場合の表示内容を示す図である。
【発明を実施するための形態】
【００１２】
以下、本発明の実施形態を、図面に基づいて説明する。
ここでは、以下のような項分けをして説明を行う。
１．本発明の概要
２．眼鏡装用パラメータの具体例
３．眼鏡装用パラメータ測定装置の構成例
４．眼鏡装用パラメータ測定方法の手順
４−１．手順の概要
４−２．特徴的な手順の詳細
４−３．その他の手順
５．本実施形態の効果
６．変形例等
６−１．合成画像の変形例
６−２．顔側面画像以外への適用
６−３．測定補助具の使用
【００１３】
＜１．本発明の概要＞
先ず、本発明の概要について説明する。
本発明は、眼鏡装用パラメータについて測定を行う際に用いられる。さらに詳しくは、眼鏡フレームを装用した状態の被検者の顔を撮像して、その撮像結果である顔画像を画面上に表示し、その顔画像上にて測定の基準となる点（例えば、被検者の角膜頂点や眼鏡フレーム前枠等）を指定した上で、その測定基準点の位置に基づいて各種眼鏡装用パラメータを演算して求めることで、眼鏡装用パラメータについて測定を行う。
このような眼鏡装用パラメータの測定を、本発明では、装置本体（筐体）が可搬式に構成された眼鏡装用パラメータ測定装置を用いて行う。可搬式であれば、非可搬式の大掛かりな測定装置のような設置スペースを要することがなく、眼鏡店への導入を容易化できるからである。
可搬式の眼鏡装用パラメータ測定装置は、眼鏡装用パラメータの測定者（すなわち被検者に対する検者）が手で持ち運び可能なものであれば、その構成が特に限定されるものではないが、その一例として撮像機能、画像表示機能、操作機能および情報処理機能を備えたコンピュータである携帯型のタブレット端末装置を利用して構成することが考えられる。タブレット端末装置を利用して構成すれば、眼鏡装用パラメータの測定に必要十分な撮像機能、画像表示機能、操作機能および情報処理機能が得られ、しかも近年広く普及しつつあることを鑑みれば低コストで構成することも実現可能となり、眼鏡店への導入を促進する上で非常に好適であると言える。
【００１４】
ところで、例えば携帯型のタブレット端末装置は、操作者が操作対象に触れて直接的に操作するというタッチインタフェースを採用したものが一般的であり、これにより明快な操作性を実現することを可能にしている。ただし、このようなタブレット端末装置を眼鏡装用パラメータ測定装置として用いる場合には、眼鏡フレームを装用した状態の被検者の顔を撮像して得られた顔画像を表示して操作対象とするので、既に説明したように、被検者が装用している眼鏡フレームの形状によっては被検者の顔について視認困難な箇所が生じてしまい、これにより操作性が悪くなってしまうことが考えられる。
この点につき、本願発明者は、鋭意検討を行った。そして、本願発明者は、眼鏡フレームを装用した状態の被検者の顔画像を表示しつつ、その眼鏡フレームを装用していない状態の被検者の顔画像についても表示して検者（操作者）が把握できるようにすれば、被検者の顔について視認困難な箇所が生じてしまうのを回避することができ、これによる操作性悪化を抑制できるのではないかと考えた。
このことを実現すべく、本願発明者は、さらに鋭意検討を重ねた。そして、本願発明者は、眼鏡フレーム装用状態の被検者の顔の撮像結果に加えて、眼鏡フレーム非装用状態の被検者の顔の撮像結果を用意しておき、これらの撮像結果を互いに関連付けて一つの表示画面内に表示することで、眼鏡フレームによる視認困難な箇所についても当該眼鏡フレームがない状態を容易に把握することが可能になるという、従来にはない全く新たな着想を得るに至った。
【００１５】
本発明は、上述した本願発明者による新たな着想に基づいてなされたものである。
すなわち、本発明は、被検者の眼鏡フレーム装用状態における顔画像（第１の画像）と眼鏡フレーム非装用状態における顔画像（第２の画像）とをそれぞれ取得しておき、眼鏡装用パラメータの測定に必要となる測定基準点を指定にあたり、それぞれの顔画像を関連付けた（加工）画像（第３の画像）を生成して一つの表示画面内に表示し、その加工画像上で測定基準点の指定を行うことを特徴とする。
このような特徴を有することで、眼鏡装用パラメータの測定にあたり、被検者の顔画像上で測定基準点の位置指定を行う場合に、その測定基準点の位置指定を行うことを実現可能とするのである。
【００１６】
＜２．眼鏡装用パラメータの具体例＞
ここで、眼鏡装用パラメータ測定装置を用いて測定される眼鏡装用パラメータについて説明する。
図１は、眼鏡装用パラメータの具体例を示す説明図である。
【００１７】
眼鏡装用パラメータとしては、例えば、被検者が眼鏡フレームを装用した状態における角膜頂点間距離と、フレーム前傾角とが知られている。
【００１８】
角膜頂点間距離は、図１（ａ）に示すように、被検者（眼鏡装用者）が遠方視したときの視軸を遠方視軸Ａとした場合において、その遠方視軸Ａ上における当該被検者の眼球Ｅの角膜頂点から当該被検者が装用する眼鏡フレームＦに枠入れされた眼鏡レンズＬの内面までの距離ＣＶＤである。
【００１９】
ただし、眼鏡フレームＦに枠入れされる眼鏡レンズＬは、被検者に処方される球面度数や乱視度数等によって内面の曲率が異なったものとなる。その一方で、眼鏡装用パラメータの測定は、被検者が新たに眼鏡を購入しようとするタイミング、すなわち被検者が眼鏡店にてサンプルレンズが枠入れされた眼鏡フレームを装用した状態で行われることが一般的である。そのため、眼鏡店で角膜頂点間距離ＣＶＤを測定しても、その測定結果は、必ずしも被検者の処方度数等が反映されたものとはならない。また、眼鏡フレームＦに枠入れされた状態では、眼鏡レンズＬの内面の位置が視認困難であることが多い。
【００２０】
そこで、本実施形態においては、眼鏡装用パラメータとして、角膜頂点間距離ＣＶＤではなく、これに代わってフレーム角膜頂点間距離ＦＶＤを測定する。
フレーム角膜頂点間距離ＦＶＤは、図１（ｂ）に示すように、被検者（眼鏡装用者）が遠方視したときの視軸を遠方視軸Ａとした場合において、その遠方視軸Ａ上における当該被検者の眼球Ｅの角膜の頂点から、その状態で被検者が装用する眼鏡フレームＦへと水平方向に線を伸ばし、眼鏡フレームＦの外周最上端にある上リムの幅の中央から、眼鏡フレームＦの外周最下端にある下リムの幅の中央とを結んだ直線との交点までの距離が、角膜頂点フレーム間距離である。
また、眼鏡フレームＦが縁なしの場合は、眼鏡フレームＦに取り付けられたダミーレンズの上端と下端のコバの幅の中点とを結んだ直線との交点までの距離が、角膜頂点フレーム間距離である。
さらに、眼鏡フレームＦがナイロールの場合は、リムバーの幅の中央、またはブローバーの幅の中央とダミーレンズの下端のコバの幅の中点とを結んだ直線との交点までの距離が、角膜頂点フレーム間距離である。
なお、眼鏡レンズＬの処方度数等が確定すれば、フレーム角膜頂点間距離ＦＶＤの測定結果を基に、レンズ基材の屈折率、レンズ凸面カーブ形状、レンズ凹面カーブ形状、レンズ肉厚、フレーム前傾角、フレームのそり角、レンズの前傾角、アイポイント、ヤゲンの位置を計算パラメータとして幾何演算等を行うことで、当該処方度数等が反映された角膜頂点間距離ＣＶＤを一意に導き出すことが可能となる。
【００２１】
フレーム前傾角は、一般には眼鏡フレームＦのテンプルとリムとがなす角度のことを言うが、本実施形態では、図１（ｂ）に示すように、遠方視軸Ａと直交する直線（すなわち鉛直方向に延びる直線）Ｌ１と、眼鏡フレームＦのリム中心線Ｌ２とがなす角度αのことをいう。
【００２２】
なお、これらの眼鏡装用パラメータは、一つの具体例に過ぎない。つまり、眼鏡装用パラメータは、これらに限定されることはなく、これらの少なくとも一つを含んでいればよく、またこれら以外のものを含んでいても構わない。これら以外のものとしては、例えば、フィッティングポイント位置、瞳孔間距離、フレーム反り角、近方視瞳孔間距離、眼球回旋角等が挙げられる。
【００２３】
本実施形態では、眼鏡装用パラメータとしてフレーム角膜頂点間距離ＦＶＤおよびフレーム前傾角αを測定する場合を例に挙げて、以下に詳しく説明する。
【００２４】
＜３．眼鏡装用パラメータ測定装置の構成例＞
次に、眼鏡装用パラメータの測定を行う際に用いられる眼鏡装用パラメータ測定装置の構成例について説明する。
図２は、本発明の一実施形態における眼鏡装用パラメータ測定装置の構成例を示す説明図であり、（ａ）は外観斜視図、（ｂ）は機能ブロック図を示している。
【００２５】
図２（ａ）に示すように、本実施形態で説明する眼鏡装用パラメータ測定装置１は、携帯型のタブレット端末装置を利用して構成されている。以下、本実施形態における眼鏡装用パラメータ測定装置１を、単に「タブレット端末」と称す。
【００２６】
タブレット端末１は、眼鏡装用パラメータの測定者（すなわち被検者に対する検者）が手で持ち運び可能な可搬式の装置筐体（本体部）１０を備えている。そして、装置筐体１０には、ＣＣＤ（Charge Coupled Device）センサまたはＣＭＯＳ（Complementary Metal-Oxide Semiconductor）センサを有してなる撮像カメラ部１１と、ＬＣＤ（Liquid Crystal Display）パネル等のフラットパネルディスプレイを有してなる表示画面部１２と、ＣＰＵ（Central Processing Unit）を有してなる情報処理部１５（ただし図２（ａ）には不図示）とが設けられている。そして、表示画面部１２には、タッチインタフェースを実現する操作部１２ａが付設されている。タッチインタフェースとは、表示画面部１２のディスプレイに触れることで操作できるユーザインタフェースのことである。このようなタッチインタフェースにより、操作部１２ａからは、タブレット端末１に対する情報入力を行い得るようになっている。つまり、タブレット端末１は、撮像機能、画像表示機能、操作機能および情報処理機能を備えたコンピュータとして機能するものである。
なお、タッチインタフェースによる操作部１２ａの操作は、図例のようにタッチペンを用いて行うことが考えられるが、操作者の指で直接行うようにしても構わない。また、操作部１２ａは、タッチインタフェースによるものではなく、タブレット端末１に接続されたキーボードやマウス等の情報入力装置を用いるようにしても構わない。
【００２７】
また、タブレット端末１は、図２（ｂ）に示すように、その装置筐体１０内に、撮像カメラ部１１、表示画面部１２および操作部１２ａ、情報処理部１５に加えて、角速度を検出するデバイスであるジャイロセンサ１３と、不揮発性メモリからなるメモリ部１４と、が設けられている。
【００２８】
ジャイロセンサ１３は、装置筐体１０の姿勢の状態等を把握するために用いられる。なお、ジャイロセンサ１３は、タブレット端末１が本来的に有しているものを利用すればよい。
【００２９】
メモリ部１４には、撮像カメラ部１１で得た画像データや操作部１２ａで入力された各種データの他に、情報処理部１５の処理動作に必要となる所定プログラムが記憶される。このメモリ部１４から所定プログラムを読み出して実行することで、情報処理部１５は、撮像制御手段１５ａ、画像処理手段１５ｂ、表示制御手段１５ｃ、操作制御手段１５ｄおよび計測演算手段１５ｅとして機能するようになっている。
【００３０】
撮像制御手段１５ａは、撮像カメラ部１１の動作制御を行うものである。撮像カメラ部１１の動作制御には、当該撮像カメラ部１１におけるシャッターの動作可否の制御が含まれる。具体的には、撮像制御手段１５ａは、装置筐体１０の姿勢が所定の状態である場合にのみ、シャッターの動作を許可するようになっている。
【００３１】
画像処理手段１５ｂは、撮像カメラ部１１で得られた撮像結果である被検者の顔画像について、その顔画像に対して所定の画像処理を行うものである。具体的には、画像処理手段１５ｂは、所定の画像処理の一つとして、撮像カメラ部１１で得られた被検者の眼鏡フレーム装用状態における第１の画像と眼鏡フレーム非装用状態における第２の画像とについて、これらを関連付けた加工画像（第３の画像）を生成するようになっている。さらに詳しくは、各画像を関連付けた加工画像として、当該各画像を合成した合成画像を生成する。この合成画像は、被検者の眼鏡フレーム非装用状態における第２の画像の一部領域に、同じ被検者の眼鏡フレーム装用状態における第１の画像の該当領域を嵌め込んだ（両領域同士を合成した）、いわゆるスーパーインポーズ合成を行って得られるものである。なお、スーパーインポーズ合成の対象となる一部領域および該当領域としては、詳細を後述するように、例えば、被検者の顔を側面から撮像して得られた顔側面画像上で当該被検者の眼球角膜部分を含む領域が挙げられる。つまり上記の例では合成画像は少なくとも測定位置を含むものとなる。
【００３２】
表示制御手段１５ｃは、表示画面部１２の動作制御を行うものである。表示画面部１２の動作制御には、当該表示画面部１２が表示する画像内容についての制御が含まれる。具体的には、表示制御手段１５ｃは、撮像カメラ部１１による撮像対象である被検者の顔画像（すなわち撮像前の画像）を表示画面部１２に画像表示させることで、表示画面部１２を撮像カメラ部１１の撮像ファインダーとして機能させる。また、表示制御手段１５ｃは、撮像カメラ部１１による撮像結果である被検者の顔画像（すなわち撮像済の画像）を表示画面部１２に画像表示させることで、その後に行う操作部１２ａでの操作に供するようになっている。なお、このとき、表示制御手段１５ｃは、撮像カメラ部１１による撮像結果として、画像処理手段１５ｂが生成した加工画像（具体的には、例えばスーパーインポーズ合成画像）を、表示画面部１２に画像表示させるものとする。
【００３３】
操作制御手段１５ｄは、操作部１２ａの動作制御を行うものである。操作部１２ａの動作制御には、その操作部１２ａで指定された点の位置認識が含まれる。具体的には、操作制御手段１５ｄは、表示画面部１２が表示する被検者の顔画像上の点を操作部１２ａで指定させることで、眼鏡装用パラメータの測定に必要となる測定基準点の表示画像上での位置を認識するようになっている。
【００３４】
計測演算手段１５ｅは、被検者に関する眼鏡装用パラメータを求めるためのものである。詳しくは、計測演算手段１５ｅは、撮像カメラ部１１で得られた撮像結果を用いつつ、操作部１２ａで指定される測定基準点に基づいて、被検者に関する眼鏡装用パラメータを求める演算処理を行うようになっている。なお、本実施形態においては計測演算手段１５ｅのことを演算部とも言う。
【００３５】
これらの各手段１５ａ〜１５ｅは、情報処理部１５がメモリ部１４内の所定プログラムを読み出して実行することによって実現される。つまり、タブレット端末１における各手段１５ａ〜１５ｅとしての機能は、メモリ部１４内の所定プログラム（すなわち、本発明に係る眼鏡装用パラメータ測定プログラムの一実施形態）によって実現される。その場合に、眼鏡装用パラメータ測定プログラムは、メモリ部１４内にインストールされて用いられることになるが、そのインストールに先立ち、タブレット端末１で読み取り可能な記憶媒体に格納されて提供されるものであってもよいし、あるいはタブレット端末１と接続する通信回線を通じて当該タブレット端末１へ提供されるものであってもよい。
【００３６】
なお、本実施形態では、装置筐体１０内の情報処理部１５が計測演算手段１５ｅとして機能する場合、すなわち装置筐体１０内にて計測演算手段１５ｅが眼鏡装用パラメータを求める演算処理を行う場合を例に挙げたが、例えばタブレット端末１と接続する無線または有線の通信回線を通じて当該通信回線上の他装置と情報処理部１５が通信可能に構成されている場合には、当該他装置に眼鏡装用パラメータを求める演算処理を行う機能を担わせるようにしても構わない。つまり、タブレット端末１の装置筐体１０には、少なくとも撮像カメラ部１１、表示画面部１２および操作部１２ａが設けられていればよく、情報処理部１５による計測演算手段１５ｅとしての機能等は、いわゆるクラウドコンピューティングのように、通信回線上の他装置に代替させてもよい。
【００３７】
＜４．眼鏡装用パラメータ測定方法の手順＞
次に、上述した構成のタブレット端末１を使用して行う眼鏡装用パラメータ測定方法の手順について説明する。
【００３８】
（４−１．手順の概要）
ここで、先ず、眼鏡装用パラメータ測定方法の手順の概要について説明する。
図３は、本発明の一実施形態における眼鏡装用パラメータ測定方法の手順の一例を示すフローチャートである。
【００３９】
本実施形態で説明する眼鏡装用パラメータ測定方法においては、少なくとも、眼鏡フレームを装用した状態の被検者の顔側面と、眼鏡フレームを装用していない状態の被検者の顔側面とを撮像し、これらの撮像結果である第１の画像（眼鏡フレーム装用状態における顔画像）および第２の画像（眼鏡フレーム非装用状態における顔画像）を基にフレーム角膜頂点間距離ＦＶＤおよびフレーム前傾角αを求めることで、眼鏡装用パラメータについての測定を行う。
【００４０】
具体的には、眼鏡装用パラメータの測定者（すなわち眼鏡店の店員等の検者）は、眼鏡装用パラメータの被検者（すなわち眼鏡店の顧客等）に撮影の準備をさせるとともに、眼鏡装用パラメータ測定プログラムがアプリケーションプログラムとしてインストールされたタブレット端末１の立ち上げを行う（ステップ１０１、以下ステップを「Ｓ」と略す。）。このとき、被検者は、装用を予定する眼鏡フレームを用意する。なお、被検者の撮影には、可搬性のあるタブレット端末１を用いるので、固定型の測定装置を用いる場合とは異なり、被検者を装置設置場所へ移動させたり、被検者に特定の姿勢をさせたりする必要がない。ここまでは、本実施形態の眼鏡装用パラメータ測定方法における「準備段階」に相当する。
【００４１】
準備段階の後は、検者がタブレット端末１を手に持った状態で、そのタブレット端末１における撮像カメラ部１１を利用しつつ、検者が撮像カメラ部１１のシャッターボタン押下を行うことで、眼鏡フレームを装用した状態の被検者の顔側面を撮像し（Ｓ１０２）、次いで当該顔側面について眼鏡フレームを装用していない状態での撮像を行う（Ｓ１０３）。これにより、タブレット端末１は、少なくとも、被検者の眼鏡フレーム装用状態における顔側面の画像と、当該被検者の眼鏡フレーム非装用状態における顔側面の画像とを、それぞれ取得することになる。ここまでは、本実施形態の眼鏡装用パラメータ測定方法における「撮像段階」に相当する。
【００４２】
撮像段階の後は、検者がタブレット端末１を操作しつつ、撮像段階で得られた撮像結果に基づいて、各種眼鏡装用パラメータの測定を行う。具体的には、タブレット端末１は、少なくとも、フレーム前傾角αを求めるとともに（Ｓ１０４）、被検者が装用する眼鏡フレームのフレーム縦幅の測定を行った上で（Ｓ１０５）、フレーム角膜頂点間距離ＦＶＤを求める（Ｓ１０６）。ここまでは、本実施形態の眼鏡装用パラメータ測定方法における「測定段階」に相当する。そして、タブレット端末１は、このようにして求めた各種眼鏡装用パラメータの測定結果を、例えばメモリ部１４に保存しておく（Ｓ１０７）。
【００４３】
このように、本実施形態で説明する眼鏡装用パラメータ測定方法では、大別すると準備段階、撮像段階および測定段階の各段階を経て、各眼鏡装用パラメータについての測定を行う。なお、各段階は、必ずしも順に行う必要はなく、それぞれを同時並行的に行ってもよい。具体的には、例えば、撮像段階にて被検者の眼鏡フレーム装用状態の第１の画像を取得した後（Ｓ１０２）、眼鏡フレーム非装用状態の第２の画像を取得する前に（Ｓ１０２）、測定段階を開始してフレーム前傾角αを求める（Ｓ１０４）ようにしてもよい。
【００４４】
（４−２．特徴的な手順の詳細）
続いて、上述した各段階を経る眼鏡装用パラメータ測定方法における特徴的な手順について、具体例を挙げて詳細に説明する。
【００４５】
（Ｓ１０２：眼鏡フレーム装用状態の第１の画像の撮像処理）
図４は、本発明の一実施形態における眼鏡装用パラメータ測定装置の撮像ファインダーで表示する内容の具体例を示す説明図であり、被検者の眼鏡フレーム装用状態における第１の画像を撮像する場合に必要となる表示内容を示す図である。図５は、同じく撮像ファインダーで表示する内容の具体例を示す説明図であり、被検者の顔を側面から撮像する際における表示内容を示す図である。
【００４６】
被検者の眼鏡フレーム装用状態の第１の画像を撮像する場合に、タブレット端末１は、先ず、その撮像を行う検者による所定操作に応じて、眼鏡フレーム装用状態についての撮像モードとなる。
【００４７】
眼鏡フレーム装用状態についての撮像モードとなったタブレット端末１は、表示制御手段１５ｃによる制御に従いつつ、図４（ａ）に示すように、表示画面部１２による撮像ファインダー内に、鉛直方向（すなわち重力方向）に延びる直線およびこれと直交する水平方向に延びる直線からなる第一基準線３１と、撮像ファインダーの縦方向に延びる直線からなる第二基準線３２と、撮像を行うために使用するシャッターボタン３３と、を表示する。これにより、表示画面部１２には、撮像カメラ部１１を通じて得られる画像に加えて、第一基準線３１、第二基準線３２およびシャッターボタン３３が表示される。
【００４８】
第一基準線３１は、タブレット端末１の装置筐体１０の姿勢がどのような状態であっても、常に鉛直方向および水平方向に延びるように表示される。つまり、装置筐体１０の姿勢にかかわらず、重力方向に対して常に固定的に表示されることになる。このような第一基準線３１は、ジャイロセンサ１３の機能を利用することで、撮像ファインダー内に表示することが可能である。
一方、第二基準線３２は、表示画面部１２の画角に対して常に固定的に表示される。したがって、タブレット端末１の装置筐体１０の姿勢が変わると、これに伴って第二基準線３２が延びる方向も変わることになる。
なお、第一基準線３１と第二基準線３２とは、それぞれを識別し得るように表示される。具体的には、それぞれの表示色を相違させることで、識別し得るようにすることが考えられる。
【００４９】
シャッターボタン３３は、撮像カメラ部１１での撮像を行うために検者が押下するものである。ただし、シャッターボタン３３は、図４（ｂ）に示すように、タブレット端末１の装置筐体１０が鉛直方向に立った状態にあると見做せる姿勢であるときに限り、押下可能な状態になるものとする。具体的には、検者が装置筐体１０を手で持った場合に、当該装置筐体１０が鉛直方向に立った姿勢となる状態を９０°とすると、前後方向（図中における矢印方向）の傾きが例えば±５°以内であるときに限り、シャッターボタン３３が押下可能な状態になるものとする。このようなシャッターボタン３３の押下制限についても、ジャイロセンサ１３の機能を利用することで実現することが可能である。
【００５０】
撮像ファインダー内に第一基準線３１、第二基準線３２およびシャッターボタン３３が表示されると、検者は、被検者の眼鏡フレーム装用状態における顔側面を撮像カメラ部１１での撮像対象とする。具体的には、検者は、被検者に眼鏡フレームを装用させた上で、眼鏡フレーム装用状態の被検者の顔側面と対向するようにタブレット端末１を手に持って構えて、そのタブレット端末１の表示画面部１２による撮像ファインダー内に当該被検者の顔側面を表示させる。
【００５１】
そして、検者は、図５（ａ）に示すように、撮像ファインダー内に表示されている第二基準線３２を、被検者が装用する眼鏡フレームＦにおけるリム中心線と合わせるように、タブレット端末１を構えた位置を回転方向（図中における矢印方向）に移動させて調整する。このとき、タブレット端末１は、第二基準線３２をリム中心線に合わせる旨について、検者に対してガイダンスを行うようにしてもよい。ガイダンスは、例えば、撮像制御手段１５ａが表示画面部１２に文字情報を表示して行うことが考えられるが、これに限られることはなく、音声出力によって行うようにしても構わない。
【００５２】
第二基準線３２をリム中心線に合わせた状態で、かつ、シャッターボタン３３が押下可能な状態になると、検者は、その状態でシャッターボタン３３を押下する。シャッターボタン３３の押下があると、タブレット端末１では、撮像ファインダーに表示されている状態の画像を撮像カメラ部１１が撮像する。この撮像カメラ部１１による撮像結果である画像（すなわち被検者の眼鏡フレーム装用状態における顔側面の画像）は、その画像上における第一基準線３１および第二基準線３２の位置情報と合わせて、表示画面部１２で一旦表示される。
【００５３】
ここで、表示制御手段１５ｃは、表示画面部１２が表示する画面上での第二基準線３２の位置を、検者による操作部１２ａでの操作内容に従いつつ移動させ得るようにしてもよい。このようにすれば、被検者の眼鏡フレーム装用状態における顔側面の撮像後においても、その撮像結果である画像上での第二基準線３２の位置を検者が微調整し得るようになる。
【００５４】
その後、表示画面部１２での表示内容は、検者による確認の結果、問題がなければ、被検者の眼鏡フレーム装用状態の第１の画像の撮像結果として、メモリ部１４内にデータ保存されることになる。
【００５５】
以上のように、本実施形態で説明するタブレット端末１は、被検者の眼鏡フレーム装用状態の第１の画像の撮像にあたり、撮像ファインダー内に表示されている第二基準線３２を、被検者が装用する眼鏡フレームＦにおけるリム中心線と合わせるようにして、当該撮像を行う。このようにして撮像を行えば、詳細を後述するように、第一基準線３１と第二基準線３２との位置関係を利用することで、眼鏡装用パラメータの一つであるフレーム前傾角αを求めることができるようになる。
【００５６】
なお、撮像によって得られた被検者の眼鏡フレーム装用状態の第１の画像は、メモリ部１４内へのデータ保存の後に、そのメモリ部１４内からの読み出しを行うことによって、タブレット端末１の表示画面部１２で表示して再利用することが可能となる。その場合に、表示画面部１２に第１の画像の表示を行わせる表示制御手段１５ｃは、第二基準線３２の位置が第一基準線３１の位置に重なるように当該第１の画像を回転方向に移動させる画像編集処理を画像処理手段１５ｂに行わせてもよい。このような画像編集処理を経れば、表示画面部１２には、撮像の際にタブレット端末１を回転方向に移動させた位置調整量が補正された状態（すなわち、第１の画像の鉛直方向および水平方向が表示画面部１２の画角を構成する端辺に沿う状態）で、被検者の眼鏡フレーム装用状態の第１の画像が表示されることになる。
【００５７】
（Ｓ１０３：眼鏡フレーム非装用状態の第２の画像の撮像処理）
被検者の眼鏡フレーム装用状態における第１の画像の撮像が終了すると、タブレット端末１は、次いで、検者による所定操作に応じて、当該被検者の眼鏡フレーム非装用状態についての撮像モードとなる。
【００５８】
眼鏡フレーム非装用状態についての撮像モードとなったタブレット端末１は、表示制御手段１５ｃによる制御に従いつつ、図５（ｂ）に示すように、表示画面部１２による撮像ファインダー内に、撮像を行うために使用するシャッターボタン３３と、被検者の眼鏡フレーム装用状態における第１の画像の撮像結果に相当するガイド画像３４と、を表示する。これにより、表示画面部１２には、撮像カメラ部１１を通じて得られる画像に加えて、シャッターボタン３３およびガイド画像３４が表示されることになる。
【００５９】
ガイド画像３４は、眼鏡フレーム装用状態の第１の画像の撮像処理（Ｓ１０２）で得られた撮像結果に対して、画像処理手段１５ｂが所定の画像編集処理を施したものである。所定の画像編集処理としては、上述した位置調整量を補正する画像編集処理の他に、画像の透過性を調整して半透明にする画像編集処理がある。画像の透過性の調整は、公知技術を利用して行えばよいが、具体的には透過性を２０％〜４０％の範囲内、好ましくは３０％程度に調整することが考えられる。このように透過性を調整すれば、ガイド画像３４を表示している状態であっても、そのガイド画像を透して他の画像を視認し得るようになる。
【００６０】
撮像ファインダー内にシャッターボタン３３およびガイド画像３４が表示されると、検者は、被検者の眼鏡フレーム非装用状態における顔側面を撮像カメラ部１１での撮像対象とする。具体的には、検者は、被検者が装用していた眼鏡フレームを外させた上で、その眼鏡フレーム非装用状態の被検者の顔側面と対向するようにタブレット端末１を手に持って構えて、そのタブレット端末１の表示画面部１２による撮像ファインダー内に当該被検者の顔側面を表示させる。
【００６１】
そして、検者は、図５（ｃ）に示すように、撮像カメラ部１１を通して撮像ファインダー内に表示されている眼鏡フレーム非装用状態における第２の画像の輪郭を、当該撮像ファインダー内に表示されているガイド画像３４の輪郭に合わせるように、タブレット端末１を構えた位置を調整する。このとき、タブレット端末１は、眼鏡フレーム非装用状態における第２の画像の輪郭をガイド画像３４に合わせる旨について、検者に対してガイダンスを行うようにしてもよい。ガイダンスは、例えば、撮像制御手段１５ａが表示画面部１２に文字情報を表示して行うことが考えられるが、これに限られることはなく、音声出力によって行うようにしても構わない。
【００６２】
眼鏡フレーム非装用状態における第２の画像の輪郭をガイド画像３４に合わせた状態で、かつ、シャッターボタン３３が押下可能な状態になると、検者は、その状態でシャッターボタン３３を押下する。シャッターボタン３３の押下があると、タブレット端末１では、撮像ファインダーに表示されている状態の画像を撮像カメラ部１１が撮像する。この撮像カメラ部１１による撮像結果である画像（すなわち被検者の眼鏡フレーム非装用状態における顔側面の画像）は、ガイド画像３４と合わせて、表示画面部１２で一旦表示される。
【００６３】
ここで、表示制御手段１５ｃは、撮像カメラ部１１による撮像結果である画像について、検者による操作部１２ａでの操作内容に従いつつ、表示画面部１２が表示する画面上での位置を移動させたり大きさを拡縮したりし得るようにしてもよい。このようにすれば、被検者の眼鏡フレーム非装用状態における顔側面の撮像後においても、その撮像結果である第２の画像の輪郭がガイド画像３４に完全に合うように当該第２の画像を検者が微調整し得るようになる。
【００６４】
その後、表示画面部１２での表示内容は、検者による確認の結果、問題がなければ、被検者の眼鏡フレーム非装用状態の第２の画像の撮像結果として、メモリ部１４内にデータ保存されることになる。
【００６５】
以上のように、本実施形態で説明するタブレット端末１は、被検者の眼鏡フレーム非装用状態の第２の画像の撮像にあたり、当該被検者の眼鏡フレーム装用状態の第１の画像の撮像結果を基にしたガイド画像３４に合わせるようにして、当該撮像を行う。このようにして撮像を行えば、被検者の眼鏡フレーム非装用状態の第２の画像について、既に得られている当該被検者の眼鏡フレーム装用状態の第１の画像と画角内の画像の配置や大きさ等が略同様のものを得ることができるようになる。なお、撮像によって得られた被検者の眼鏡フレーム非装用状態の第２の画像は、メモリ部１４内へのデータ保存の後に、そのメモリ部１４内からの読み出しを行うことによって、タブレット端末１の表示画面部１２で表示して再利用することが可能となる。
【００６６】
（Ｓ１０４：フレーム前傾角αの測定処理）
被検者の眼鏡フレーム装用状態の第１の画像の撮像処理（Ｓ１０２）が終了した後は、フレーム前傾角αの測定処理（Ｓ１０４）を開始することが可能となる。フレーム前傾角αを測定する場合に、タブレット端末１は、検者による所定操作に応じて、前傾角測定モードとなる。
【００６７】
前傾角測定モードとなったタブレット端末１は、表示制御手段１５ｃによる制御に従いつつ、被検者の眼鏡フレーム装用状態における第１の画像をメモリ部１４内から読み出して表示画面部１２で表示する。そして、タブレット端末１では、その眼鏡フレーム装用状態の第１の画像を用いつつ、計測演算手段１５ｅがフレーム前傾角αを求める演算処理を行う。具体的には、メモリ部１４内から読み出した眼鏡フレーム装用状態の第１の画像によれば、その画像上における第一基準線３１および第二基準線３２の位置を特定し得るので、計測演算手段１５ｅは、当該第一基準線３１における鉛直方向の直線を、フレーム前傾角αを求めるための直線Ｌ１（図１（ｂ）参照）と見做すとともに、当該第二基準線３２を、フレーム前傾角αを求めるための直線Ｌ２（図１（ｂ）参照）と見做す。そして、計測演算手段１５ｅは、画像上での直線Ｌ１と直線Ｌ２とがなす角度を、フレーム前傾角αとして求める。
【００６８】
このようにして計測演算手段１５ｅが求めたフレーム前傾角αは、表示制御手段１５ｃによる制御に従いつつ、表示画面部１２の画面内の所定ウインドウに表示される。そして、その演算処理結果は、検者による確認の結果、問題がなければ、メモリ部１４内にデータ保存されることになる。
【００６９】
（Ｓ１０５：眼鏡フレーム縦幅の測定処理）
ところで、測定段階においては、被検者の顔の撮像結果である顔画像を基に、眼鏡装用パラメータを演算して求める。そのため、例えばフレーム角膜頂点間距離ＦＶＤのような距離の大きさによって特定される眼鏡装用パラメータについては、これを演算して求めるのにあたり、顔画像上における距離の大きさと実空間内での実際の距離の大きさとを関連付けるキャリブレーション（較正）が必要となる。
【００７０】
このキャリブレーションのために、本実施形態では、被検者が装用する眼鏡フレームＦについて眼鏡フレーム縦幅の測定処理（Ｓ１０５）を行う。眼鏡フレーム縦幅の測定処理（Ｓ１０５）を行う場合に、タブレット端末１は、検者による所定操作に応じて、眼鏡フレーム縦幅測定モードとなる。
【００７１】
図６は、本発明の一実施形態における眼鏡装用パラメータ測定装置で眼鏡装用パラメータを求める際の表示画面部での表示内容の具体例を示す説明図であり、被検者が装用する眼鏡フレームのフレーム縦幅を測定する際の表示内容を示す図である。
【００７２】
眼鏡フレーム縦幅測定モードとなったタブレット端末１は、表示制御手段１５ｃによる制御に従いつつ、図６（ａ）に示すように、表示画面部１２における画面内に、当該画面の長辺に沿って延びる直線からなる第三基準線３５と、その第三基準線３５と平行に配された二本の直線からなる第四基準線３６ａ，３６ｂと、を表示する。
第三基準線３５は、表示画面部１２における画面の上下方向中間点付近に固定的に表示される。なお、第三基準線３５の表示は必須ではなく、当該表示を省略してもよい。
一方、第四基準線３６ａ，３６ｂは、第三基準線３５を挟むようにそれぞれが表示される。また、第四基準線３６ａ，３６ｂは、第三基準線３５との平行状態を維持したまま、それぞれが独立して画面内で移動させ得るようになっている。第四基準線３６ａ，３６ｂの画面内での移動は、検者による操作部１２ａでの操作内容に従いつつ行われる。
【００７３】
表示画面部１２の画面内に第三基準線３５および第四基準線３６ａ，３６ｂが表示されると、検者は、図６（ｂ）に示すように、その表示画面部１２の画面上に、被検者が装用する眼鏡フレームＦを単体の状態で載置する。このとき、検者は、眼鏡フレームＦのデータムラインを第三基準線３５に合わせるようにして、当該眼鏡フレームＦを画面上に載置する。このように、眼鏡フレームＦを載置するためのガイドとして第三基準線３５を用いれば、検者にとっては利便性の高いものとなる。さらには、第三基準線３５を表示すれば、後述する眼鏡フレーム縦幅の測定を行う際に表示画面部１２の画面周辺領域を使用せずに済むので、当該測定を精緻に行えるようになる。
【００７４】
表示画面部１２の画面上に眼鏡フレームＦを載置すると、次いで、検者は、操作部１２ａを操作することで第四基準線３６ａ，３６ｂを画面内で移動させる。そして、一方の第四基準線３６ａを眼鏡フレームＦのリム上端に合わせるとともに、他方の第四基準線３６ｂを当該眼鏡フレームＦのリム下端に合わせる。このようにすることで、各第四基準線３６ａ，３６ｂの間隔は、眼鏡フレームＦのフレーム縦幅の大きさに一致することになる。
【００７５】
この状態で操作部１２ａによる所定操作（例えば、図示せぬ「決定」アイコン画像の押下）があると、タブレット端末１では、計測演算手段１５ｅが各第四基準線３６ａ，３６ｂの間の実距離を求める。具体的には、計測演算手段１５ｅは、各第四基準線３６ａ，３６ｂの間隔の大きさを表示画面部１２における画素数によって認識するとともに、認識した画素数に一画素あたりの実際の大きさを乗ずることで各第四基準線３６ａ，３６ｂの間の実距離を求め、その演算処理結果を眼鏡フレームＦのフレーム縦幅の大きさとする。
【００７６】
このようにして計測演算手段１５ｅが求めたフレーム縦幅の演算処理結果は、表示制御手段１５ｃによる制御に従いつつ、表示画面部１２の画面内の所定ウインドウ３７に表示される。そして、その演算処理結果は、検者による確認の結果、問題がなければ、メモリ部１４内にデータ保存されることになる。
【００７７】
以上のように、本実施形態で説明するタブレット端末１は、眼鏡装用パラメータの測定に必要となるキャリブレーションのために、被検者が装用する眼鏡フレームＦについて眼鏡フレーム縦幅の測定処理（Ｓ１０５）を行う。しかも、本実施形態のタブレット端末１は、眼鏡フレーム縦幅の測定処理（Ｓ１０５）にあたり、表示画面部１２の画面上に眼鏡フレームＦを載置させた状態で、その眼鏡フレームＦのフレーム縦幅の大きさを表示画面部１２における画素数に換算した上で、当該フレーム縦幅の大きさを演算処理によって求めるようになっている。したがって、眼鏡フレームＦのフレーム縦幅の大きさをスケール等で物理的に計測する必要がなく、その計測結果の値をタブレット端末１に入力する必要もなく、眼鏡フレーム縦幅の測定処理（Ｓ１０５）をタブレット端末１の表示画面部１２を利用して簡便に行えるようになる。また、眼鏡装用パラメータの測定に必要となるキャリブレーションのために、眼鏡フレームＦにスケールとなる治具等を予め装着しておく、といった必要も生じない。つまり、一連の処理をタブレット端末１のみで完結して行えるようになり、当該タブレット端末１を用いて眼鏡装用パラメータ測定装置を構成する上で非常に好適なものとなる。
【００７８】
（Ｓ１０６：フレーム角膜頂点間距離ＦＶＤの測定処理）
以上のような眼鏡装用パラメータ測定装置が完了すると、その後、タブレット端末１では、フレーム角膜頂点間距離ＦＶＤの測定処理（Ｓ１０６）が実行可能となる。フレーム角膜頂点間距離ＦＶＤを測定する場合に、タブレット端末１は、検者による所定操作に応じて、フレーム角膜頂点間距離測定モードとなる。
【００７９】
フレーム角膜頂点間距離測定モードとなったタブレット端末１は、表示制御手段１５ｃによる制御に従いつつ、撮像処理（Ｓ１０２，Ｓ１０３）で得られた撮像結果をメモリ部１４内から読み出して表示画面部１２で表示して、その後に検者が行う操作部１２ａでの操作に供する。ただし、このとき、タブレット端末１では、情報処理部１５における画像処理手段１５ｂとしての機能が、以下に述べるような画像処理を行う。
【００８０】
（画像処理）
図７は、本発明の一実施形態における眼鏡装用パラメータ測定装置が行う画像合成処理の具体例を示す説明図である。
【００８１】
画像処理手段１５ｂは、図７（ａ）に示すように、被検者の眼鏡フレーム装用状態における顔側面についての撮像結果である第１の画像４１をメモリ部１４内から読み出す。さらに、画像処理手段１５ｂは、図７（ｂ）に示すように、被検者の眼鏡フレーム非装用状態における顔側面についての撮像結果である第２の画像４２をメモリ部１４内から読み出す。
【００８２】
眼鏡フレーム装用状態の第１の画像４１および眼鏡フレーム非装用状態の第２の画像４２を読み出したら、画像処理手段１５ｂは、これらの画像４１，４２に対して、スーパーインポーズ合成を行うために必要となる画像処理を行う。
【００８３】
具体的には、画像処理手段１５ｂは、図７（ｃ）に示すように、眼鏡フレーム装用状態の第１の画像４１について、その一部領域４３のデータ抽出を行うとともに、当該一部領域４３を除く他の領域のデータ消去を行う（図中ハッチング部分参照）。このときの「一部領域」は、画像全体に対して占める位置、大きさ、範囲等が予め定められており、少なくとも被検者が装用する眼鏡フレームＦのリム部分を含むが、当該眼鏡フレームＦのテンプル部分および被検者の眼球角膜部分については含まないように設定された領域である。この一部領域４３については、図例のような矩形状とすることが考えられるが、これに限定されることはなく、円形状等のような他の形状に設定されたものであってもよい。
【００８４】
また、画像処理手段１５ｂは、図７（ｄ）に示すように、眼鏡フレーム非装用状態の顔側面画像４２について、上述した一部領域４３に対応する該当領域４４のデータ消去を行う（図中ハッチング部分参照）。このときの「該当領域」は、上述した一部領域に対応するように、画像全体に対して占める位置、大きさ、範囲等が当該一部領域４３と同一に定められている。したがって、この該当領域４４においても、上述した一部領域４３と同様に、被検者の眼球角膜部分については含まないように設定されることになる。また、該当領域４４の外形形状についても、上述した一部領域４３と同一であれば、矩形状や円形状等のいずれであってもよい。
【００８５】
なお、一部領域４３と該当領域４４との対応付けは、各画像４１，４２を構成する画素の位置情報を基にして行うことが考えられる。眼鏡フレーム装用状態の第１の画像４１と眼鏡フレーム非装用状態の第２の画像４２とは、それぞれが同画角となるように撮像されており、眼鏡フレームの装用の有無を除けば、画角内の画像の配置や大きさ等が略同様だからである。ただし、必ずしもこれに限定されることはなく、他の手法により一部領域４３と該当領域４４との対応付けを行うようにしても構わない。他の手法としては、例えば、各画像４１，４２内に共通して存在する画像要素（被検者の耳や眼鏡フレームのリム等）を形状認識し、それぞれにおける画像要素を合致させた上で、その画像要素との位置関係を基準にして、一部領域４３と該当領域４４とを高精度に対応付けするといったものが挙げられる。
【００８６】
その後、画像処理手段１５ｂは、図７（ｅ）に示すように、眼鏡フレーム装用状態の第１の画像４１における一部領域４３を、眼鏡フレーム非装用状態の第２の画像４２における該当領域４４に嵌め込むように、これらの画像４１，４２についてスーパーインポーズ合成を行う。これにより、画像処理手段１５ｂは、眼鏡フレーム装用状態の第１の画像４１と眼鏡フレーム非装用状態の第２の画像４２とを合成して、一つの合成画像（第３の画像）４５を得ることになる。この合成画像４５は、それぞれの画像４１，４２を関連付けた加工画像の一態様に相当するものである。
【００８７】
このようなスーパーインポーズ合成によって得られる一つの合成画像４５は、眼鏡フレーム装用状態の第１の画像４１における一部領域４３が、眼鏡フレーム非装用状態の第２の画像４２における該当領域４４に置換されたものとなる。したがって、このようなスーパーインポーズ合成を行えば、その結果得られる一つの合成画像４５上では、その合成画像中から眼鏡フレームの画像部分が必要に応じて部分的に削除されることになる。
【００８８】
（測定基準点の指定処理）
以上のような画像合成処理を行った後、タブレット端末１では、その画像合成処理で得られた一つの合成画像４５を表示画面部１２で表示した上で、検者にフレーム角膜頂点間距離ＦＶＤの測定に必要となる測定基準点の指定を行わせる。
【００８９】
図８は、本発明の一実施形態における眼鏡装用パラメータ測定装置で眼鏡装用パラメータを求める際の表示画面部での表示内容の具体例を示す説明図であり、フレーム角膜頂点間距離を求める場合の表示内容を示す図である。
【００９０】
具体的には、フレーム角膜頂点間距離測定モードとなったタブレット端末１は、表示制御手段１５ｃによる制御に従いつつ、図８（ａ）および（ｂ）に示すように、表示画面部１２にて上述した画像合成処理で得られた一つの合成画像４５を表示するとともに、その合成画像４５にポインタ画像５３，５４を重ねて表示する。
【００９１】
ポインタ画像５３，５４は、操作部１２ａを操作して行う測定基準点の指定にあたり、その操作部１２ａで指定しようとする点の位置特定の目安となる図形画像である。これらのうち、ポインタ画像５３は、被検者の顔側面における角膜頂点の位置を測定基準点として指定する際に用いられる。また、ポインタ画像５４は、被検者が装用する眼鏡フレームＦにおけるリムの上端位置および下端位置を測定基準点として指定する際に用いられる。これらのポインタ画像５３，５４を構成する図形パターン形状については、検者による操作性や重ねられる合成画像４５の視認性等を考慮しつつ予め設定されたものであればよく、特に限定されるものではない。
【００９２】
合成画像４５にポインタ画像５３，５４を重ねて表示した後、タブレット端末１では、図８（ａ）に示すように、検者が操作部１２ａを操作して、表示画面部１２の画面内で移動可能なポインタ画像５３を、表示中の合成画像４５上における角膜の頂点に位置させる。このとき、背景となる合成画像４５は、スーパーインポーズ合成が行われて顔画像中から眼鏡フレームの画像部分が必要に応じて部分的に削除されたものである。したがって、ポインタ画像５３を角膜頂点位置に合わせる際に、被検者の顔の角膜近傍について視認困難な箇所が生じてしまうことがない。
【００９３】
さらに、タブレット端末１において、検者は、図８（ｂ）に示すように、操作部１２ａを操作して、その表示画面部１２の画面内で移動可能なポインタ画像５４を、表示中の合成画像４５上における眼鏡フレームＦのリムの上端および下端に位置させる。
【００９４】
その状態で操作部１２ａによる所定操作（例えば「決定」アイコン画像の押下）があると、タブレット端末１では、角膜頂点位置に配されたポインタ画像５３における中心点が、フレーム角膜頂点間距離ＦＶＤを求めるための測定基準点の一つとして指定されるとともに、眼鏡フレームＦのリムの上端および下端に配されたポインタ画像５４における中心点が、フレーム角膜頂点間距離ＦＶＤを求めるための残りの測定基準点として指定されることになる。
【００９５】
このとき、表示制御手段１５ｃは、検者が画面内で移動させようとするポインタ画像５３，５４に触れると、図８（ａ）および（ｂ）に示すように、そのポインタ画像５３，５４とその周辺領域を拡大して表示する部分拡大ウインドウ画像５５を、表示画面部１２の画面内の所定箇所に表示させる。このようにすれば、ポインタ画像５３，５４をタッチインタフェースで操作して移動させる場合であっても、そのタッチインタフェースで触れている箇所が部分拡大ウインドウ画像５５によって当該箇所とは別の所定箇所に拡大表示されるので、検者がポインタ画像５３，５４を移動させて位置合わせする際の操作性向上が図れる。
【００９６】
（演算処理）
検者がポインタ画像５３，５４をそれぞれの位置に移動させて、これによりフレーム角膜頂点間距離ＦＶＤを求めるための測定基準点を指定すると、計測演算手段１５ｅは、角膜頂点に位置するポインタ画像５３の中心を通る水平方向に延びる直線と、眼鏡フレームＦのリムの上端および下端の各ポインタ画像５４の中心を結ぶ直線との交点を求める。そして、計測演算手段１５ｅは、その交点と角膜頂点に位置するポインタ画像５３の中心との間の距離を、フレーム角膜頂点間距離ＦＶＤとして求める。
【００９７】
このときのフレーム角膜頂点間距離ＦＶＤの測定は、表示画面部１２で表示される合成画像４５上で行う。そのため、フレーム角膜頂点間距離ＦＶＤの測定にあたっては、実空間内での大きさと合成画像４５上での大きさとを関連付けるキャリブレーション（較正）が必要となる。キャリブレーションは、例えば、上述した眼鏡フレーム縦幅の測定処理（Ｓ１０５）において眼鏡フレームＦのフレーム縦幅の大きさを求めているので、そのフレーム縦幅の演算処理結果を、眼鏡フレームＦのリムの上端および下端に配された各ポインタ画像５４の間の合成画像４５上での距離に対応付けることで行うようにすることが考えられる。
【００９８】
このようにして計測演算手段１５ｅが求めたフレーム角膜頂点間距離ＦＶＤは、表示制御手段１５ｃによる制御に従いつつ、表示画面部１２の画面内の所定ウインドウ５６に表示される。そして、その演算処理結果は、検者による確認の結果、問題がなければ、メモリ部１４内にデータ保存されることになる。
【００９９】
（４−３．その他の手順）
以上に、本実施形態において眼鏡装用パラメータを測定する際の特徴的な手順について説明したが、タブレット端末１は、上述した特徴的な手順以外のその他の手順について行うものであってもよい。その他の手順としては、撮像段階における被検者の顔上面の撮像処理や顔正面の撮像処理、測定段階におけるフレーム反り角βの測定処理、フィッティングポイント位置ＦＰの測定処理、瞳孔間距離ＰＤの測定処理等が挙げられる。なお、これらの各手順については、公知技術を利用して行えばよいため、ここではその詳細な説明を省略する。
【０１００】
＜５．本実施形態の効果＞
本実施形態で説明したタブレット端末１、当該タブレット端末１の特徴的な機能を実現する眼鏡装用パラメータ測定プログラム、および、当該タブレット端末１を用いて行う位置指定方法によれば、以下のような効果が得られる。
【０１０１】
本実施形態によれば、可搬式のタブレット端末１を利用して、各種眼鏡装用パラメータの測定を行う。そのため、非可搬式の大掛かりな測定装置のような設置スペースを要することがなく、眼鏡店への導入を容易化できる。この点で、各種眼鏡装用パラメータの測定を行う検者（眼鏡店の店員等）にとっては、利便性に優れたものとなる。
【０１０２】
また、本実施形態では、被検者の眼鏡フレーム装用状態における第１の画像と眼鏡フレーム非装用状態における第２の画像とをそれぞれ撮像して取得しておき、眼鏡フレーム装用状態についての撮像結果と眼鏡フレーム非装用状態についての撮像結果とを一つの合成画像に合成して表示し、その一つの合成画像（第３の画像）上で眼鏡装用パラメータを求めるために必要となる測定基準点の指定を行うようになっている。つまり、眼鏡フレーム装用状態の被検者の顔画像の撮像結果に加えて、眼鏡フレーム非装用状態の被検者の顔画像の撮像結果を用意しておき、これらの撮像結果について部分的に画像合成処理を行って一つの合成画像として表示画面部１２で表示する。
したがって、本実施形態によれば、上述した画像合成処理を経ることで、その画像合成処理後の一つの合成画像上において、眼鏡フレームの画像部分を必要に応じて部分的に削除することが可能になる。このように、眼鏡フレームの画像部分を部分的に削除可能であれば、被検者が装用している眼鏡フレームの形状がどのようなものであっても、その眼鏡フレーム形状に起因して被検者の顔が視認困難になってしまうのを防ぐことができる。例えば、テンプル幅が大きい眼鏡フレームを被検者が装着している場合であっても、そのテンプル部分を削除することで、顔画像上において被検者の角膜頂点が眼鏡フレームのテンプルに隠れてしまうのを防止できる。
つまり、本実施形態によれば、眼鏡装用パラメータを求めるために必要となる測定基準点の指定にあたり、必要に応じて眼鏡フレームの画像部分を部分的に削除することで、指定すべき測定基準点の位置が不明確になってしまうのを回避でき、その結果として測定基準点の位置指定を簡便に行うことができるようになり、さらには指定後の測定基準点の位置について必要十分な位置精度を確保し得るようにもなる。
【０１０３】
特に、本実施形態で説明したように、一つの合成画像への画像合成処理にあたり、眼鏡フレーム装用状態についての撮像結果の一部領域を、眼鏡フレーム非装用状態についての撮像結果の該当領域に嵌め込むスーパーインポーズ合成を行うようにすれば、眼鏡フレーム装用状態の撮像結果のうちの必要な部分（すなわち当該撮像結果の一部領域）についてのみ、これを眼鏡フレーム非装用状態の撮像結果（すなわち当該撮像結果の該当領域）に置換することができる。
したがって、本実施形態によれば、測定基準点の指定にあたって必要となる部分だけを、確実に眼鏡フレーム非装用状態についての顔画像に置換することになる。つまり、測定基準点の指定にあたり不要となる眼鏡フレームの画像部分を確実に削除することができ、その結果として測定基準点の位置指定を簡便かつ高精度に行うことが実現可能となる。
【０１０４】
ところで、指定すべき測定基準点の位置が不明確になり得る状況としては、上述したように顔画像上において眼鏡フレームのテンプルが被検者の角膜頂点を隠してしまう場合が、その典型的な例として挙げられる。この点につき、本実施形態では、スーパーインポーズ合成の対象領域（すなわち一部領域および該当領域）を、被検者の顔を側面から撮像して得られた顔画像上で少なくとも被検者が装用する眼鏡フレームのリム部分を含むが、当該眼鏡フレームのテンプル部分および被検者の眼球角膜部分については含まないように設定された領域としている。したがって、本実施形態によれば、顔画像上において眼鏡フレームのテンプルが被検者の角膜頂点を隠してしまう場合であっても、指定すべき測定基準点の位置が不明確になるのを回避でき、その結果としてフレーム角膜頂点間距離ＦＶＤの測定に必要となる測定基準点の位置指定を簡便かつ高精度に行うことが実現可能となる。つまり、眼鏡装用パラメータの一つであるフレーム角膜頂点間距離ＦＶＤの測定を行う場合に適用して非常に好適なものとなる。
【０１０５】
＜６．変形例等＞
以上に本発明の実施形態を説明したが、上述した開示内容は、本発明の例示的な実施形態を示すものである。すなわち、本発明の技術的範囲は、上述の例示的な実施形態に限定されるものではない。以下に、変形例等について説明する。
【０１０６】
（６−１．合成画像の変形例）
本実施形態では、眼鏡フレーム装用状態の第１の画像と眼鏡フレーム非装用状態の第２の画像との合成画像（第３の画像）として、一方の画像の一部領域を他方の画像の該当領域に嵌め込んだスーパーインポーズ合成画像を表示する場合を例に挙げたが、本発明はこれに限定されるものではなく、他の合成態様による合成画像を表示するようにしてもよい。他の合成態様による合成画像としては、例えば、透過性を相違させた状態で各画像を重ね合わせたようなものが挙げられる。
また、眼鏡フレーム装用状態の第１の画像と眼鏡フレーム非装用状態の第２の画像とは、それぞれが互いに関連付けられて表示されていれば、必ずしも合成された状態で表示されることを要さない。つまり、本発明は、眼鏡フレーム装用状態の第１の画像と眼鏡フレーム非装用状態の第２の画像との各画像を互いに関連付けた加工画像（第３の画像）を生成して表示し、その加工画像上で測定基準点の指定を行わせるものであってもよい。ここでいう「関連付け」とは、測定基準点の指定にあたり各画像の関連性を認識し得るようにすることをいう。したがって、各画像を互いに関連付けた加工画像には、本実施形態で説明した合成画像の他に、以下のようなものも含まれる。すなわち、加工画像としては、眼鏡フレーム装用状態の第１の画像と眼鏡フレーム非装用状態の第２の画像とのそれぞれを並べて表示しつつ、位置を合わせ、および／または、大きさを合わせ、それぞれの画像上の同一位置をポインタ画像が同期して移動するように加工したものが、その一例として挙げられる。このような例に限られず、測定基準点の指定にあたり必要となる箇所を眼鏡フレームの有無にかかわらず視認し易くするように、眼鏡フレーム装用状態の第１の画像と眼鏡フレーム非装用状態の第２の画像とを加工して表示するものであれば、本発明における「加工画像（すなわち第３の画像）」に該当することになる。例えば上記のようなフレーム装用状態とフレームなしの各々の画像を、角膜頂点と眼鏡のフロント部（眼鏡レンズを取り付ける部分）の間に位置する鉛直方向直線にて分割した上で、フレーム装用状態の画像であってフレームフロント部が含まれる分割画像と、フレームなしの画像であって角膜頂点を含む画像分割とを選択して並べることも本願の好適な実施の形態である。この場合、情報処理部１５において、合成画像を新たに生成するというよりも、被検者の眼鏡フレーム装用状態における第１の画像と眼鏡フレーム非装用状態における第２の画像とをそれぞれ取得し、それぞれの画像を関連付けた第３の画像を準備している。
【０１０７】
（６−２．顔側面の画像以外への適用）
本実施形態では、主として、フレーム角膜頂点間距離ＦＶＤを測定するときの処理手順を例に挙げている。そのため、本実施形態では、被検者の顔側面についての画像を合成して合成画像とする場合について説明している。ただし、本発明はこれに限定されるものではなく、被検者の顔側面の他に、被検者の顔上面や顔正面等についても、本実施形態の場合と同様の画像合成処理を行うようにすることも考えられる。例えばサングラスを装用した状態で、サングラス上のアイポイント位置を特定しようとすると、サングラスの遮光作用により角膜位置を確認することは容易でないことがある。サングラス装用状態と、サングラスを装用していない画像を撮像し、少なくとも角膜頂点を含む画像と、サングラスのフレーム枠含む画像を合わせた合成画像を作成すればサングラス上のアイポイント位置を確認することが可能となる。
【０１０８】
（６−３．測定補助具の使用）
本実施形態では、実空間内での大きさと画像上での大きさとを関連付けるキャリブレーションを、眼鏡フレーム縦幅の測定処理（Ｓ１０５）を行ったうえで、その処理結果に基づいて行う場合を例に挙げている。ただし、キャリブレーションは、例えば、スケール等を用いて計測した眼鏡フレーム縦幅の値を検者がタブレット端末１に数値入力することで行うようにしてもよい。また、眼鏡フレーム縦幅を測定するのではなく、所定サイズの図形によって構成された測定基準スケールを指標として用い、その指標を被検者の顔画像と共に撮像することによって行うようにしてもよい。具体的には、撮像段階において、構成図形の大きさ（すなわち実空間内での大きさ）が既知である測定基準スケールが描かれた測定補助具を、被検者の顔と併せて撮像対象とする。そして、その撮像結果に含まれる測定基準スケールを構成するいずれかの図形部分を用いて、実空間内での大きさと顔側面合成画像上での大きさとを関連付けるキャリブレーションを行い、顔側面合成画像上でのスケール変換を行うようにすることが考えられる。なお、測定補助具については、公知技術を利用して実現したものであればよく、ここではその詳細な説明を省略する。
【０１０９】
（６−４．画像データ）
本実施形態では、撮像カメラ部１１で得た画像データを使用したが、それ以外の画像データを使用しても構わない。例えば、タブレット端末１の撮像カメラ部１１で撮像した画像データではなく、他の撮像機器により被験者を撮像して得られた画像データを使用しても構わない。タブレット端末１において撮像カメラ部１１を設けるのはあくまで好ましい例である。
【符号の説明】
【０１１０】
１…眼鏡装用パラメータ測定装置（タブレット端末）、１０…装置筐体、１１…撮像カメラ部、１２…表示画面部、１２ａ…操作部、１３…ジャイロセンサ、１４…メモリ部、１５…情報処理部、１５ａ…撮像制御手段、１５ｂ…画像合成手段、１５ｃ…表示制御手段、１５ｄ…操作制御手段、１５ｅ…計測演算手段（演算部）、４１…第１の画像，４２…第２の画像、４３…一部領域、４４…該当領域、４５…合成画像（第３の画像）
【図１】
0006450450.tif 000002
【図２】
0006450450.tif 000003
【図３】
0006450450.tif 000004
【図４】
0006450450.tif 000005
【図５】
0006450450.tif 000006
【図６】
0006450450.tif 000007
【図７】
0006450450.tif 000008
【図８】
0006450450.tif 000009